(57)【要約】【課題】スプレー缶が設置される噴霧装置において、スプレー缶から噴出される噴霧剤の噴霧方向を変更することで、設置環境に応じた噴霧をする。【解決手段】スプレー缶本体１７とノズル１９とを備えたスプレー缶３が設置されこの設置されているスプレー缶３の姿勢を変更するスプレー缶設置部７と、スプレー缶設置部７に設置されているスプレー缶３のノズル１９を作動させるノズル作動部９とを有する噴霧装置１である。【選択図】図８
2020049396.tif 000002
【特許請求の範囲】
【請求項１】
スプレー缶本体とノズルとを備えたスプレー缶が設置され、この設置されているスプレー缶の姿勢を変更するスプレー缶設置部と、
前記スプレー缶設置部に設置されているスプレー缶のノズルを作動させるノズル作動部と、
を有することを特徴とする噴霧装置。
【請求項２】
請求項１に記載の噴霧装置において、
前記スプレー缶設置部は、前記スプレー缶設置部に設置されているスプレー缶の姿勢を、前記ノズルから噴霧される噴霧剤の方向が斜め上方向となる姿勢にするように構成されており、
前記スプレー缶設置部に設置されているスプレー缶のノズルから噴霧される噴霧剤の方向が斜め上方向になっているときには、前記ノズル作動部が、所定の時間間隔でスプレー缶のノズルを作動させるように構成されていることを特徴とする噴霧装置。
【請求項３】
請求項１または請求項２に記載の噴霧装置において、
人を検出する人感センサを備え、
前記スプレー缶設置部は、前記スプレー缶設置部に設置されているスプレー缶の姿勢を、前記ノズルから噴霧される噴霧剤の方向が斜め下方向となる姿勢にするように構成されており、
前記スプレー缶設置部に設置されているスプレー缶のノズルから噴霧される噴霧剤の方向が斜め下方向になっているときには、前記人感センサによって人の検出がされると、前記ノズル作動部がスプレー缶のノズルを作動させるように構成されていることを特徴とする噴霧装置。
【請求項４】
スプレー缶本体とノズルとを備えたスプレー缶が載置されるスプレー缶載置部と、このスプレー缶載置部の端部から起立している支柱部と、を備えて「Ｌ」字状に形成されているスプレー缶設置部と、
前記支柱部に設けられ、前記スプレー缶設置部に設置されているスプレー缶のノズルを作動させるノズル作動部と、
を有することを特徴とする噴霧装置。
【請求項５】
請求項４に記載の噴霧装置において、
前記スプレー缶載置部は平板状に形成されており、前記支柱部は、柱状に形成されていて前記スプレー缶載置部の厚さ方向の一方の面から起立しており、前記スプレー缶載置部からの前記支柱部の起立高さの値は、前記スプレー缶載置部に載置されている前記スプレー缶の前記スプレー缶載置部からの起立高さの値よりも大きくなっていることを特徴とする噴霧装置。
【請求項６】
スプレー缶本体とノズルとを備えたスプレー缶が設置されるスプレー缶設置部と、
前記スプレー缶設置部に設置されているスプレー缶のノズルを作動させるノズル作動部と、
を有し、前記ノズルは、噴霧剤の噴霧の方向を変更できるように構成されていることを特徴とする噴霧装置。
【請求項７】
請求項６に記載の噴霧装置において、
前記ノズルは、噴霧剤の噴霧の方向を、斜め下方もしくは上方もしくは斜め上方に設定できるように構成されており、
人を検出する人感センサとモード切換スイッチとを備え、
前記ノズルによる噴霧剤の噴霧の方向が斜め下方に設定されており、前記モード切換スイッチが第１のポジションに設定されているときには、前記人感センサによって人の検出がされると、前記ノズル作動部がスプレー缶のノズルを作動させるように構成されており、
前記ノズルによる噴霧剤の噴霧の方向が上方もしくは斜め上方に設定されており、前記モード切換スイッチが第２のポジションに設定されているときには、前記ノズル作動部が、所定の時間間隔でスプレー缶のノズルを作動させるように構成されていることを特徴とする噴霧装置。
【発明の詳細な説明】
【技術分野】
【０００１】
本発明は、噴霧装置に係り、特に、設置されたスプレー缶から噴霧剤を噴霧するものに関する。
【背景技術】
【０００２】
従来、スプレー缶が設置され、この設置されたスプレー缶から噴霧剤を自動的に噴霧させる噴霧装置が知られている（たとえば特許文献１、特許文献２参照）。
【先行技術文献】
【特許文献】
【０００３】
【特許文献１】特開平１０−３２８５９０号公報
【特許文献２】特開２０１７−１２８３４７号公報
【発明の概要】
【発明が解決しようとする課題】
【０００４】
ところで、従来の噴霧装置に設置されているスプレー缶から噴霧させる噴霧剤の噴霧方向は一定方向になる。しかし、噴霧装置に設置されているスプレー缶から噴霧させる噴霧剤の噴霧方向を変えたい場合がある。
【０００５】
また、スプレー缶の設置や設置されているスプレー缶の交換を一層容易にすることができる噴霧装置が要望される。
【０００６】
本発明は、スプレー缶が設置される噴霧装置において、スプレー缶から噴出される噴霧剤の噴霧方向を変更することで、設置環境に応じた噴霧をすることができる噴霧装置を提供することを目的とする。
【０００７】
また、本発明は、スプレー缶の設置や設置されているスプレー缶の交換を一層容易にすることができる噴霧装置を提供することを目的とする。
【課題を解決するための手段】
【０００８】
本発明は、スプレー缶本体とノズルとを備えたスプレー缶が設置され、この設置されているスプレー缶の姿勢を変更するスプレー缶設置部と、前記スプレー缶設置部に設置されているスプレー缶のノズルを作動させるノズル作動部とを有する噴霧装置である。
【発明の効果】
【０００９】
本発明によれば、スプレー缶が設置される噴霧装置において、スプレー缶から噴出される噴霧剤の噴霧方向を変更することで、設置環境に応じた噴霧をすることができるという効果を奏する。
【００１０】
また、本発明によれば、スプレー缶の設置や設置されているスプレー缶の交換を一層容易にすることができる噴霧装置を提供することができるという効果を奏する。
【図面の簡単な説明】
【００１１】
【図１】本発明の第１の実施形態に係る噴霧装置と設置済みスプレー缶とを示す図であり、（ｂ）は（ａ）におけるＩＢ矢視図である。
【図２】本発明の第１の実施形態に係る噴霧装置からスプレー缶を取り外すときの状態を示す図である。
【図３】本発明の第１の実施形態に係る噴霧装置と設置済みスプレー缶とを姿勢を変えて壁に設置した状態を示す図である。
【図４】噴霧装置の、１つ目の変形例に係る作動部を示す図である。
【図５】噴霧装置の、２つ目の変形例に係る作動部を示す図である。
【図６】噴霧装置の、３つ目の変形例に係る作動部を示す図である。
【図７】本発明の第１の実施形態に係る噴霧装置に、変形例に係るスプレー缶を設置した状態を示す図であり、（ａ）はノズルから斜め下方向に向かって噴霧剤を噴霧する場合を示しており、（ｂ）はノズルから上方向に向かって噴霧剤を噴霧する場合を示している。
【図８】本発明の第２の実施形態に係る噴霧装置と設置済みスプレー缶とを示す図であり、（ｂ）は（ａ）におけるＶＩＩＩＢ矢視図である。
【図９】本発明の第２の実施形態に係る噴霧装置と設置済みスプレー缶との動作を示す図である。
【図１０】本発明の第２の実施形態に係る噴霧装置と設置済みスプレー缶との動作を示す図である。
【図１１】スプレー缶と噴霧装置（スプレー缶載置部）との係合態様の変形例を示す図である。
【発明を実施するための形態】
【００１２】
［第１の実施形態］
本発明の第１の実施形態に係る噴霧装置１は、図１で示すように、スプレー缶３が載置（設置）された状態でテーブル５や床の上に設置されて使用されるものであり、スプレー缶設置部７とノズル作動部９とを備えて構成されている。
【００１３】
ここで説明の便宜のために、水平な所定の一方向を縦方向とし、水平な所定の他の一方向であって縦方向に対して直交する方向を横方向とし、縦方向と横方向とに対して直交する方向を上下方向とする。
【００１４】
スプレー缶設置部７は、スプレー缶載置部１１と、このスプレー缶載置部１１の端部から上側に起立している支柱部１３とを備えて「Ｌ」字状に形成されている。
【００１５】
スプレー缶載置部１１の上には、スプレー缶３が載置されるようになっている。スプレー缶３は、内部に噴霧剤が蓄えられているスプレー缶本体１７と、スプレー缶本体１７に設けられスプレー缶本体１７内の噴霧剤３９を噴霧するノズル１９とを備えて構成されている。
【００１６】
ノズル作動部９は、支柱部１３に設けられており、スプレー缶設置部７に設置されているスプレー缶３のノズル１９を作動させるものである。ノズル１９の作動によって（ノズル１９が押し下げられることによって）ノズル１９から噴霧剤３９が噴霧されるようになっている。
【００１７】
スプレー缶載置部１１は平板状に形成されており、噴霧装置１がテーブル５の上に設置されて使用される状態では、スプレー缶載置部１１の厚さ方向が上下方向になっている。
【００１８】
支柱部１３は、柱状（四角柱状、円柱状等の柱状）に形成されており、縦方向の一方の側で、スプレー缶載置部１１の厚さ方向の一方の面（上面）から上側に起立している。
【００１９】
スプレー缶載置部１１からの支柱部１３の起立高さの値は、スプレー缶載置部１１に載置されているスプレー缶（載置済みスプレー缶；設置済みスプレー缶）３のスプレー缶載置部１１からの起立高さの値よりも大きくなっている。
【００２０】
載置済みスプレー缶３と支柱部１３とは縦方向でならんでいる。横方向や上下方向で見ると、載置済みスプレー缶３と支柱部１３とは、図１で示すように、お互いが接している。すなわち、円柱状のスプレー缶本体１７の母線と支柱部１３の側面とが接している。なお、横方向や上下方向で見て、載置済みスプレー缶３と支柱部１３とが、僅かに離れていてもよい。
【００２１】
しかし、横方向や上下方向で見たときに、載置済みスプレー缶３と支柱部１３とは、お互いが重なり合うことなく（載置済みスプレー缶３の一部が支柱部と１３は重なっておらず、かつ、支柱部１３の一部が載置済みスプレー缶３と重なることなく）、縦方向に並んでいる。
【００２２】
また、上下方向で見ると、載置済みスプレー缶３の中心Ｃ１と支柱部１３の一方の端とを結ぶ一端側半直線Ｌ１と、載置済みスプレー缶３の中心Ｃ１と支柱部１３の他方の端とを結ぶ他端側半直線Ｌ２との交差角度（劣角）θが、１２０°（好ましくは９０°）以下になっている。
【００２３】
噴霧装置１についてさらに詳しく説明する。
【００２４】
噴霧装置１には、電池２１等の電源と制御部２３とモータ２５等のアクチュエータと、ノズル作動部（ノズル作動部材）９を支持している作動部支持部材２７と作動部駆動機構２９と電源スイッチ３１と人感センサ３３とモード切り換えスイッチ３５とが設けられている。
【００２５】
ノズル作動部９は、支柱部１３ら突出している突起３７で構成されており、作動部支持部材２７に一体的に設けられている。モータ２５を駆動することで、作動部駆動機構２９を介して、ノズル作動部９（突起３７）と作動部支持部材２７とが、支柱部１３に対して、上下方向で移動位置決め自在になっている。
【００２６】
突起３７がスプレー缶載置部１１側（下側）に移動することによって、突起３７が
が、設置済みスプレー缶３のノズル１９を下方に押し、ノズル１９から噴霧剤３９が噴霧されるようになっている。
【００２７】
設置済みスプレー缶３のノズル１９からの噴霧剤の噴霧が停止している状態では、突起３７がノズル１９の上側でノズル１９から離れている。
【００２８】
また、突起３７は、作動部支持部材２７に対して、上下方向における位置を調整自在になっており、スプレー缶載置部１１に載置されるスプレー缶３の高さにあわせて、突起３７の位置を調整することができるようになっている。
【００２９】
人感センサ３３は、たとえば、人の手の存在を検出するセンサ（ノズル１９から噴霧剤３９が噴霧される領域に入った人の手を検出するセンサ）である。モード切り換えスイッチ３５は、設置済みスプレー缶３から噴出される噴霧剤の噴出モード（噴出の態様）を切り換えるスイッチである。
【００３０】
次に、噴霧装置１の動作について説明する。
【００３１】
スプレー缶３が噴霧装置１に設置されており、たとえば、モード切り換えスイッチ３５が、第１のポジションに位置しており、突起３７がノズル１９の上側でノズル１９から離れている状態を第１の初期状態とする。
【００３２】
第１の初期状態では、人感センサ３３が人の手（図示せず）を検出すると、制御部２３の制御の下、突起３７が下降してノズル１９を押し下げ、ノズル１９から人の手に向かって、スプレー缶３から噴霧剤３９を噴出（散布）する。スプレー缶３内の噴霧剤３９として、手等を消毒するために消毒剤が採用される。
【００３３】
スプレー缶３から噴霧剤３９の噴出は、人感センサ３３が人の手（図示せず）を検出している間なされ、人感センサ３３が人の手（図示せず）を非検出の状態になったとき、突起３７が上昇してノズル１９から離れ、スプレー缶３から噴霧剤３９を噴出が停止する。
【００３４】
なお、スプレー缶３から噴霧剤３９の噴出を人感センサ３３が人の手を検出している間にするのではなく、スプレー缶３から噴霧剤３９の噴出を、人感センサ３３が人の手を検出したときから所定の時間にわたってのみするようになっていてもよい。
【００３５】
スプレー缶３が噴霧装置１に設置されており、たとえば、モード切り換えスイッチ３５が、第２のポジションに位置しており、突起３７がノズル１９の上側でノズル１９から離れている状態を第２の初期状態とする。
【００３６】
第２の初期状態では、制御部２３の制御の下、所定の時間が経過する毎に、突起３７が所定の時間だけ下降してノズル１９を押し下げ、ノズル１９から空間に向かって、スプレー缶３から噴霧剤を噴出（散布）する。スプレー缶３内の噴霧剤として、消臭剤や芳香剤が採用される。
【００３７】
噴霧装置１によれば、スプレー缶設置部７がスプレー缶載置部１１と支柱部１３とを備えて「Ｌ」字状に形成されているので、噴霧装置１へのスプレー缶３の設置を、スプレー缶３をスプレー缶載置部１１の所定の位置に置くだけでなされ（図２参照）、噴霧装置１へのスプレー缶３の設置が従来のものに比べて容易になる。
【００３８】
また、スプレー缶設置部７がスプレー缶載置部１１と支柱部１３とを備えて「Ｌ」字状に形成されているので、噴霧装置１からのスプレー缶３に撤去がスプレー缶３をスプレー缶載置部１１から持ち上げるだけでなされ（図２参照）、噴霧装置１でのスプレー缶３の交換が従来のものに比べて容易になる。
【００３９】
また、噴霧装置１によれば、スプレー缶載置部１１が平板状に形成されており、支柱部１３が、柱状に形成されていてスプレー缶載置部１１から起立しているので、設置済みスプレー缶３の大部分が、スプレー缶載置部１１や支柱部１３で覆われることなく露出しており、スプレー缶３の設置や設置済みスプレー缶３の交換がさらにさらに容易になる。
【００４０】
また、噴霧装置１によれば、スプレー缶載置部１１からの支柱部１３の起立高さの値が、載置済みスプレー缶３のスプレー缶載置部１１からの起立高さの値よりも大きくなっているので、スプレー缶３の上端部に設けられているノズル１９を操作する突起３７の設置位置を容易に確保することができる。
【００４１】
また、噴霧装置１によれば、設置済みスプレー缶３のノズル１９からの噴霧剤３９の噴霧が停止している状態で、突起３７がノズル１９の上側でノズル１９から離れているので、スプレー缶３の設置や交換をするときに、スプレー缶３と突起３７との干渉を避けることが容易であり、スプレー缶３の設置や設置されているスプレー缶３の交換が一層容易になる。
【００４２】
なお、上記説明では、噴霧装置１やスプレー缶３をテーブル５の上に載置することとしているが、図３で示すように、部屋の壁４１等に、噴霧装置１やスプレー缶３を設置してもよい。
【００４３】
この場合、噴霧装置１のスプレー缶載置部１１が壁４１に一体的に設置されており、スプレー缶３が、保持ベルト４３等の保持部材を用いて、支柱部１３に一体的に設置されており、ノズル１９からたとえば下側に向かって噴霧剤３９が噴霧される。さらに、噴霧装置１やスプレー缶３を部屋の天井等に設置してもよい。
【００４４】
ところで、ノズル作動部９の構成を、図４〜図６で示すように変形してもよい。
【００４５】
図４で示すノズル作動部９は、支柱部１３に対して突起３７の突出高さを変え、ノズル１９を押すように構成されている。図５で示すノズル作動部９は、支柱部１３に対して回動するカム４５を用いてノズル１９を押すように構成されている。
【００４６】
図６で示す態様では、突起３７を支柱部１３に固定してある。代わりに、スプレー缶３をスプレー缶移動体４７に載置し、スプレー缶移動体４７を支柱部１３に対して上下方向に移動することで、ノズル１９を押すように構成されている。
【００４７】
図７で示す噴霧装置１に設置されているスプレー缶３のノズル１９は、噴霧剤３９の噴霧の方向を変更できるように構成されている。たとえば、ノズル１９は、噴霧剤３９の噴霧の方向を、斜め下方（図７（ａ）参照）もしくは上方（図７（ｂ）参照）もしくは斜め上方に設定できるように構成されている。
【００４８】
そして、ノズル１９による噴霧剤３９の噴霧の方向が斜め下方に設定されており（図７（ａ）参照）、モード切換スイッチ３５が第１のポジションに設定されているときに、人感センサ３３によって人の検出がされると、ノズル作動部９がスプレー缶３のノズル１９を作動させ、噴霧剤３９を噴霧するように構成されている。
【００４９】
また、ノズル１９による噴霧剤３９の噴霧の方向が上方（図７（ｂ）参照）もしくは斜め上方に設定されており、モード切換スイッチが第２のポジションに設定されているときには、ノズル作動部９が、所定の時間間隔でスプレー缶３のノズル１９を作動させ、噴霧剤３９を噴霧するように構成されている。
【００５０】
なお、図7で示す噴霧装置１に設置されるスプレー缶３のノズル１９は、ノズル本体部４９と噴霧部５１とを備えて構成されている。
【００５１】
噴霧部５１は、ノズル本体部４９に対して回動位置決め自在になっており、噴霧部５１を回動位置決めすることで、ノズル１９による噴霧剤３９の噴霧の方向を変えることができるようになっている。
【００５２】
図7で示す噴霧装置１およびスプレー缶３によれば、スプレー缶３のノズル１９が、噴霧剤３９の噴霧の方向を変更できるように構成されているので、噴霧装置１の姿勢を変えることなく設置済みスプレー缶３から噴霧される噴霧剤３９の噴霧方向を変えることができ、設置環境に応じた噴霧をすることができる。
【００５３】
また、図7で示す噴霧装置１およびスプレー缶３によれば、ノズル１９による噴霧剤３９の噴霧の方向が斜め下方に設定されており、モード切換スイッチ３５が第１のポジションに設定されているときに、人感センサ３３によって人の検出がされると、ノズル作動部９がスプレー缶３のノズル１９を作動させるように構成されているので、噴霧剤３９がアルコール消毒剤等の消毒剤である場合、設置済みスプレー缶３から人の手や指に的確に消毒剤を噴霧することができる。
【００５４】
また、図7で示す噴霧装置１およびスプレー缶３によれば、ノズル１９による噴霧剤３９の噴霧の方向が上方もしくは斜め上方に設定されており、モード切換スイッチ３５が第２のポジションに設定されているときに、ノズル作動部９が所定の時間間隔でスプレー缶３のノズル１９を作動させるように構成されているので、噴霧剤３９が芳香剤や消臭剤である場合、人感センサ３３を無視して、設置済みスプレー缶３が置かれている部屋内に、芳香剤や消臭剤を広範囲に効率良く散布することができる。
【００５５】
［第２の実施形態］
図８〜図１０で示す本発明の第２の実施形態に係る噴霧装置１ａは、本発明の第１の実施形態に係る噴霧装置１とほぼ同様に構成されており、スプレー缶３が載置された状態でテーブル５や床の上に設置されて使用されるものであり、スプレー缶設置部７とノズル作動部９とを備えて構成されている。
【００５６】
ただし、噴霧装置１ａのスプレー缶設置部７に設置されているスプレー缶（設置済みスプレー缶）３は、ノズル１９から噴霧される噴霧剤３９の噴霧の方向を変更するために、この姿勢を変更できるようになっている（図９、図１０参照）。
【００５７】
たとえば、噴霧装置１ａのスプレー缶設置部７は、図１０で示すように、設置済みスプレー缶３の姿勢を、ノズル１９から噴霧される噴霧剤３９の方向が斜め上方向となる姿勢にするように構成されている。
【００５８】
設置済みスプレー缶３のノズル１９から噴霧される噴霧剤３９の方向が斜め上方向になっており、モード切り換えスイッチ３５が第２のポジションになっているときには、ノズル作動部９が、所定の時間間隔でスプレー缶３のノズル１９を作動させノズル１９から噴霧剤３９を噴霧するように構成されている。
【００５９】
なお、モード切り換えスイッチ３５が、第１のポジション、第２のポジションに加えて、第３のポジション、第４のポジション等、３つ以上の複数のポジションを取り得るように構成してもよい。
【００６０】
そして、たとえば、部屋内の噴霧剤３９の濃度が０．１ｐｐｍ程度にするために、噴霧時間、噴霧の間隔を調整してもよい。
【００６１】
たとえば、設置済みスプレー缶３のノズル１９から噴霧される噴霧剤３９の方向が斜め上方向になっており、モード切り換えスイッチ３５が第２のポジションになっているときには、１２時間毎に１回、１秒程度、噴霧剤３９を部屋内に噴霧し、設置済みスプレー缶３のノズル１９から噴霧される噴霧剤３９の方向が斜め上方向になっており、モード切り換えスイッチ３５が第３のポジションになっているときには、６時間毎に１回、１秒程度、噴霧剤３９を部屋内に噴霧し、設置済みスプレー缶３のノズル１９から噴霧される噴霧剤３９の方向が斜め上方向になっており、モード切り換えスイッチ３５が第３のポジションになっているときには、３時間毎に１回、１秒程度、噴霧剤３９を部屋内に噴霧するように構成してもよい。
【００６２】
さらに、設置済みスプレー缶３のノズル１９から噴霧される噴霧剤３９の方向が斜め上方向になっているときに、設置済みスプレー缶３の傾斜角度に応じて、設置済みスプレー缶３から噴霧される噴霧剤３９の噴霧時間、噴霧の間隔を調整してもよい。
【００６３】
たとえば、設置済みスプレー缶３の傾斜角度が水平方向に対して大きくなるにしたがって、設置済みスプレー缶３から噴霧される噴霧剤３９の噴霧の間隔を短くしてもよいし逆に長くしてもよい。
【００６４】
また、図８で示すように、設置済みスプレー缶３が直立状態にあるときには、噴霧装置１ａはオフ状態になるように構成してもよい。
【００６５】
また、噴霧装置１ａのスプレー缶設置部７は、図９で示すように、設置済みスプレー缶３の姿勢を、ノズル１９から噴霧される噴霧剤３９の方向が斜め下方向となる姿勢にするように構成されている。
【００６６】
設置済みスプレー缶３のノズル１９から噴霧される噴霧剤３９の方向が斜め下方向になっており、モード切り換えスイッチ３５が第１のポジションになっているときには、人感センサ３３によって人の検出がされると、ノズル作動部９がスプレー缶３のノズル１９を作動させノズル１９から噴霧剤３９を噴霧するように構成されている。
【００６７】
噴霧装置１ａについてさらに詳しく説明する。
【００６８】
噴霧装置１ａのスプレー缶設置部（スプレー缶設置体）７は、第１の実施形態に係る噴霧装置１と同様に、スプレー缶載置部１１と支柱部１３とを備えて「Ｌ」字状に形成されているが、スプレー缶載置部１１の下部には、横方向で見て、円弧状で凹状のガイド面５３が形成されている。
【００６９】
また、噴霧装置１ａは、ベース体５５を備えて構成されている。ベース体５５の下面は平面状に形成されている。ベース体５５の上部には、横方向で見て、円弧状で凸状のガイド面５７が形成されている。
【００７０】
そして、ベース体５５のガイド面５７にスプレー缶載置部１１のガイド面５３が面接触して係合していることで、ガイド面５３、５７の中心を回動中心にし、ベース体５５に対してスプレー缶載置部１１が回動し、設置済みスプレー缶３の姿勢を変えることができるようになっている。
【００７１】
なお、スプレー缶載置部１１は、図示しないストッパによって、図９もしくは図１０で示す位置で停止し、容易には回動しないようになっている。
【００７２】
また、上記説明では、ノズル１９からの噴霧剤３９を噴霧の態様を、モード切り換えスイッチ３５で設定しているが、位置検出センサを設け、スプレー缶載置部１１が図９もしくは図１０で示す位置にあることを検出し、この検出結果を用いて、ノズル１９からの噴霧剤３９を噴霧の態様を変えるようにしてもよい。
【００７３】
また、ベース体５５に対してスプレー缶載置部１１がする回動位置決めが、図９で示す位置と図１０で示す位置との間の任意の位置（姿勢）でされるように構成してもよい。
【００７４】
噴霧装置１ａによれば、スプレー缶設置部７に設置されている設置済みスプレー缶３の姿勢を変更できるので、噴霧装置１ａと設置済みスプレー缶３とをテーブル５上に置いたままで、設置済みスプレー缶３から噴霧される噴霧剤３９の噴霧方向を変えることができ、設置環境に応じた噴霧をすることができる。
【００７５】
また、噴霧装置１ａによれば、設置済みスプレー缶３のノズル１９から噴霧される噴霧剤３９の方向が斜め上方向になっているときに、ノズル作動部９が所定の時間間隔でスプレー缶３のノズル１９を作動させるように構成されているので、噴霧剤３９が芳香剤や消臭剤である場合、設置済みスプレー缶３が置かれている部屋内に、芳香剤や消臭剤を広範囲に効率良く散布することができる。
【００７６】
また、噴霧装置１ａによれば、設置済みスプレー缶３のノズル１９から噴霧される噴霧剤３９の方向が斜め下方向になっているときに、人感センサ３３によって人の検出がされると、ノズル作動部９がスプレー缶３のノズル１９を作動させるように構成されているので、噴霧剤３９がアルコール消毒剤等の消毒剤である場合、設置済みスプレー缶３から人の手や指に的確に消毒剤を噴霧することができる。
【００７７】
ところで、噴霧装置１、１ａでは、スプレー缶載置部１１の平面状の上面に、スプレー缶３を載置しているが、図１１（ａ）で示すように、スプレー缶載置部１１の上面に円柱状の穴（凹部）５９を設け、この穴５９の中に、スプレー缶３の円柱状の下端部が入り込むようにしてもよい。
【００７８】
これにより、スプレー缶設置部７にスプレー缶３を設置するときにおけるスプレー缶３の位置決めを容易にできるとともに、一旦設置されたスプレー缶３に位置ずれを防止することができる。なお、穴５９の内径は、スプレー缶３（スプレー缶本体１７）の外径より僅かに大きくっている。
【００７９】
さらに、穴５９に環状の溝６１を設け、この溝６１に環状の弾性体（たとえばＯリング）６３を設けてもよい。
【００８０】
そして、スプレー缶設置部７にスプレー缶３を設置したときに、Ｏリング６３が弾性変形し、スプレー缶３（スプレー缶本体１７）を付勢し、一旦設置されたスプレー缶３が、スプレー缶設置部７に固定されるようにしてもよい。
【００８１】
また、図１１（ｂ）（ｃ）で示すように、お互いの内径が異なる穴５９を複数段で設け（たとえば同軸でお互いの径が異なる穴５９ａ、５９を設け）、外径の違うスプレー缶３（３ａ、３ｂ）であっても、スプレー缶設置部７に固定であるようにしてもよい。
【００８２】
すなわち、噴霧装置１、１ａに、外径の違うスプレー缶（スプレー缶の下端部）を固定する固定部を設けてもよい。
【００８３】
また、スプレー缶３から噴霧される噴霧剤として、２液を混ぜるタイプのものを採用することができる。このタイプのスプレー缶３のスプレー缶本体１７内には、１つ目の液（たとえば、亜塩素酸ナトリウム水溶液）を収容している第１の収容体と、２つ目の液（たとえば、クエン酸溶液等の何らかの酸性液）を収容している第２の収容体とが収納されている。
【００８４】
そして、混ぜられた２液がスプレー缶３から噴霧剤として噴霧（スプレー）されるようになっている。２液が混ざることで、二酸化塩素を発生させることが出来る。
【００８５】
なお、２液どちらかの溶液に、エタノールを混合することで、消毒殺菌をするためのスプレーをした際に、速乾性を高めることが出来る。また、２液どちらかの溶液にハッカ油などの香料を添加することで、たとえば、消毒殺菌をするためのスプレーをした際の二酸化塩素の臭気を緩和することができる。
【符号の説明】
【００８６】
１  噴霧装置
３  スプレー缶
７  スプレー缶設置部
９  ノズル作動部
１１  スプレー缶載置部
１３  支柱部
１７  スプレー缶本体
１９  ノズル
３３  人感センサ
３５  モード切換スイッチ
３９  噴霧剤
【図１】
2020049396.tif 000003
【図２】
2020049396.tif 000004
【図３】
2020049396.tif 000005
【図４】
2020049396.tif 000006
【図５】
2020049396.tif 000007
【図６】
2020049396.tif 000008
【図７】
2020049396.tif 000009
【図８】
2020049396.tif 000010
【図９】
2020049396.tif 000011
【図１０】
2020049396.tif 000012
【図１１】
2020049396.tif 000013